(57)【要約】 【課題】  蛇腹状に折り畳まれた立体構造を持つペーパークラフトを折る際に、折り目が型押しされた専用のシートの利用が考えられるが、作ることのできる形に制限があるので、これ以外の形のペーパークラフトを作成する際は、展開図の作図から折り目付けまで、手作業で行わねばならず容易ではなかった。【解決手段】  蛇腹状に折る際の折り線は型押しして折り目を付け、それと交差した等間隔の平行な罫線を付けて方眼線となるよう構成した。【選択図】        図1
0003127931.tif 000002
【実用新案登録請求の範囲】
【請求項１】
ペーパークラフトを折るためのシートに、蛇腹状に折る際の折り線を付け、その線と交差する等間隔で平行な罫線を付けたことを特徴とするクラフト用シート。
【考案の詳細な説明】
【技術分野】
【０００１】
本考案は、蛇腹状に折り畳まれた立体構造を持つペーパークラフトにおいて、ひとつのクラフト用シートで、異なる展開図の作図ができて、しかも、作図の時間短縮および折り目付け作業の容易化を図った、クラフト用シートに関するものである。
【背景技術】
【０００２】
蛇腹状に折り畳まれた立体構造を持つペーパークラフトは、クラフト用シートを二つ折りして拡げ、折れ目に平行あるいは非平行に引かれた折り線に従い蛇腹状に折り畳んで折り目をつけた後、再度拡げ、それぞれの折り線上の点を順につないでできた境界線を山折りもしくは谷折りのどちらか一方に折り、この境界線と折り線の交点を境に、折り線に付いている折り目を途中から、山折りを谷折りへ、谷折りを山折りへと変えて折ることで作成できる。このペーパークラフトの専用シートには、通常それぞれの展開図に従って折り線が型押しなどで付けてあり、ペーパークラフトを作成するのに便利だが、ひとつのクラフト用シートからは同じ形のペーパークラフトしか作れなかった（特許文献1）。
【０００３】
また、折り目が規則的に入った正多角形や正円のシートで、本考案が目的とするペーパークラフトを作成しようとした場合、折り線の間隔や角度、クラフト用シートの縦横の比率などが限定されていることから、作成することのできる形状に限りがあった（特許文献２）。
【特許文献１】特願２００５−８０２６２
【特許文献２】実用新案登録第３０６９７１９号
【０００４】
したがって、折り目が型押しなどで付けられた専用のシートを使用した場合には、作ることのできる形に制限があるので、それ以外の形状のペーパークラフトを作成する場合には、展開図の作図から折り目付けまで手作業で行わねばならず、容易ではなかった。
【考案の開示】
【考案が解決しようとする課題】
【０００５】
本考案は、同じクラフト用シートを使いながらも、様々な形状のペーパークラフトの作成が可能で、作図の時間短縮及び折り目付け作業の容易化を可能にし、作業工程も大幅に簡略化できるクラフト用シートの提供を目的としたものである。
【課題を解決するための手段】
【０００６】
蛇腹状に折り畳まれた立体構造を持つペーパークラフトを作成する際は、クラフト用シートを二つ折りして拡げ、折れ目に平行あるいは非平行に引かれた折り線と、折り線上の点を順につないだ境界線に、それぞれ折り目を付けておく必要があるが、上記課題を解決するため、クラフト用シートに折り線を型押しや印刷などで付け、それと交差した等間隔で平行な罫線を型押しや印刷などで付けて方眼線となるようにした。このクラフト用シートを用いると、折り線と罫線で構成された方眼の対角線が境界線にあたることから、作ろうとするペーパークラフトの形状に合わせて自由に方眼を選択し、対角線に順に折り目を付けていくだけで折り目付けの作業が完了する。
【考案の効果】
【０００７】
本考案のクラフト用シートを使用することにより、蛇腹状に折る部分の折り線記入と折り目付け作業は不要となり、ペーパークラフトの形状を決定する境界線も、折り線と罫線で構成される方眼を自由に選択し、その対角線をヘラなどで順に結ぶだけで折り目付けができることから、同じクラフト用シートを使いながらも、様々な形状のペーパークラフトの作成が可能で、作業工程も大幅に簡略化することが可能である。
【考案を実施するための最良の形態】
【０００８】
本考案のクラフト用シートは、シートに蛇腹状に折る際の折り線を付け、その線と交差する等間隔で平行な罫線を付けたものであるが、特に、長方形のシートの短辺に平行で等間隔な折り線が全面に付けられ、長辺に平行で等間隔の罫線が全面に付けられたものが使用上、好ましい。
折り線や罫線の付け方としては、型押しや印刷、手書き、手折り、機械折りなどの方法が挙げられる。
【０００９】
本考案に用いられるクラフト用シートの材質としては、紙、プラスチックス、布、金属、セラミックスあるいはそれらの混合物が挙げられ、焼くと陶磁器や金属、セラミックスとなる陶紙や粘土でできた紙、銀粘土、セラミックスペーパーであってもよい。また、光触媒や芳香、吸湿、抗菌など、さまざまな機能を持ったシートであってもよい。
【００１０】
以下、添付図面に従って実施例を説明する。
【実施例１】
【００１１】
図１の（a）は、蛇腹状に折り畳まれた立体構造を持つペーパークラフトの、基本的な形態である。この形状を得るためには、（ｂ）に示す折り目を付ける必要がある。この折り目は、（ｃ）に示すように、クラフト用シートの短辺に平行に定規や鉛筆などを使用して折り線を記入し、次に、構想に従って二本の罫線を下書きしたのち、折り線と罫線の交点を順につないだ境界線を記入してから、折り線と境界線に、ヘラなどを使って折り目をつけていた。本考案では、作業を簡略化するために（ｄ）に示すように、事前に折り線を型押しして折り目を付け、それと直交して方眼線を構成する罫線を、等間隔で平行にシートに印刷した。これにより、（e）に示すように、最初から方眼の対角線を結ぶだけで境界線を得ることができ、折り目をつける作業が容易になった。
【実施例２】
【００１２】
図２は、実施例１（ｄ）のクラフト用シートを用いて制作した半球形のペーパークラフトの構造を示すものである。まず、クラフト用シートを長方形にカットし、（ａ）に示すような折り目を付け、展開図に従ってそれぞれ山折り、谷折りに折ると（ｂ）の湾曲した立体構造のペーパークラフトとなった。さらに、境界線が輪になるように両端辺を突き合わせ、のりしろの部分８で貼り合わせると、（ｃ）の中央が膨らんだ円筒状の立体構造になった。次いで、上部開口部をすぼめ固定すると（ｄ）の半球形の傘状となり、（ｅ）の様に電球を取り付けることによってランプシェードになった。このクラフト用シートとして光触媒が担持されたシートを用いると、光を効率良く当てることができることから、環境汚染物質を効率良く分解・除去することができる、優れた空気浄化機能を持つ照明器具を作成することができた。
【産業上の利用可能性】
【００１３】
本考案のクラフト用シートを使用することによって折り目を付ける工程が簡略化できるので、ペーパークラフトの形状に工夫を加えて作成することが容易になり、さまざまな形のペーパークラフトを簡単に作成できるだけでなく、ホビーとして普及することが考えられる。また、光触媒を担持したシートで制作した場合は、完成したクラフトは、表面積の大きさから高機能空気清浄器などとして利用することができる。
【図面の簡単な説明】
【００１４】
【図１】（a）蛇腹状に折り畳まれた立体構造を特徴とするペーパークラフトの斜視図。（ｂ）山折り線、谷折り線と境界線が記された展開図。（ｃ）折り線と折り線上の点を結んだ罫線と、折り線上の点を順につないだ境界線が記された展開図。（ｄ）型押しされた折り線と、方眼線をなすように、罫線が印刷されたクラフト用シートの展開図。（e）本考案のクラフト用シートを使って、境界線を記入した展開図。
【図２】(ａ)中央が膨らんだ構造を持つペーパークラフトの展開図。(ｂ)湾曲した立体構造を示したペーパークラフトの斜視図。(ｃ)中央が膨らんだ円筒状のペーパークラフトを示した斜視図。(ｄ)傘状のペーパークラフトを示した斜視図。(ｅ)照明器具の実施例を示した斜視図。
【符号の説明】
【００１５】
１クラフト用シート
２折り線
３罫
４境界線
５型押しされた折り線
６山折り
７谷折り
８のりしろ
９電球
【図１】
0003127931.tif 000003
【図２】
0003127931.tif 000004
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
蛇腹状に折り畳まれた立体構造を持つペーパークラフトを折るためのシートに、蛇腹状に折る際の折り線が型押しされ、その線と交差する等間隔で平行な罫線を付けたことを特徴とするクラフト用シート。
【手続補正２】
【補正対象書類名】明細書
【補正対象項目名】全文
【補正方法】変更
【補正の内容】
【考案の詳細な説明】
【技術分野】
【０００１】
本考案は、蛇腹状に折り畳まれた立体構造を持つペーパークラフトにおいて、ひとつのクラフト用シートで、異なる展開図の作図ができて、しかも、作図の時間短縮および折り目付け作業の容易化を図った、クラフト用シートに関するものである。
【背景技術】
【０００２】
蛇腹状に折り畳まれた立体構造を持つペーパークラフトは、クラフト用シートを二つ折りして拡げ、折れ目に平行あるいは非平行に引かれた折り線に従い蛇腹状に折り畳んで折り目をつけた後、再度拡げ、それぞれの折り線上の点を順につないでできた境界線を山折りもしくは谷折りのどちらか一方に折り、この境界線と折り線の交点を境に、折り線に付いている折り目を途中から、山折りを谷折りへ、谷折りを山折りへと変えて折ることで作成できる。このペーパークラフトの専用シートには、通常それぞれの展開図に従って折り線が型押しなどで付けてあり、ペーパークラフトを作成するのに便利だが、ひとつのクラフト用シートからは同じ形のペーパークラフトしか作れなかった（特許文献1）。
【０００３】
また、折り目が規則的に入った正多角形や正円のシートで、本考案が目的とするペーパークラフトを作成しようとした場合、折り線の間隔や角度、クラフト用シートの縦横の比率などが限定されていることから、作成することのできる形状に限りがあった（特許文献２）。
【特許文献１】特願２００５−８０２６２
【特許文献２】実用新案登録第３０６９７１９号
【０００４】
したがって、折り目が型押しなどで付けられた専用のシートを使用した場合には、作ることのできる形に制限があるので、それ以外の形状のペーパークラフトを作成する場合には、展開図の作図から折り目付けまで手作業で行わねばならず、容易ではなかった。
【考案の開示】
【考案が解決しようとする課題】
【０００５】
本考案は、同じクラフト用シートを使いながらも、様々な形状のペーパークラフトの作成が可能で、作図の時間短縮及び折り目付け作業の容易化を可能にし、作業工程も大幅に簡略化できるクラフト用シートの提供を目的としたものである。
【課題を解決するための手段】
【０００６】
蛇腹状に折り畳まれた立体構造を持つペーパークラフトを作成する際は、クラフト用シートを二つ折りして拡げ、折れ目に平行あるいは非平行に引かれた折り線と、折り線上の点を順につないだ境界線に、それぞれ折り目を付けておく必要があるが、上記課題を解決するため、クラフト用シートを蛇腹状に折り畳む際の折り線を型押しし、それと交差した等間隔で平行な罫線を印刷などで付けて方眼線となるようにした。このクラフト用シートを用いると、折り線と罫線で構成された方眼の対角線が境界線にあたることから、作ろうとするペーパークラフトの形状に合わせて自由に方眼を選択し、対角線に順にヘラなどで折り目を付けていくだけで折り目付けの作業が完了する。
【考案の効果】
【０００７】
本考案のクラフト用シートを使用することにより、蛇腹状に折る部分の折り線記入と折り目付け作業は不要となり、ペーパークラフトの形状を決定する境界線も、折り線と罫線で構成される方眼を自由に選択し、その対角線をヘラなどで順に結ぶだけで折り目付けができることから、同じクラフト用シートを使いながらも、様々な形状のペーパークラフトの作成が可能で、作業工程も大幅に簡略化することが可能である。
【考案を実施するための最良の形態】
【０００８】
本考案のクラフト用シートは、シートに蛇腹状に折る際の折り線を型押しして付け、その線と交差する等間隔で平行な罫線を付けたものであるが、特に、長方形のシートの短辺に平行で等間隔な折り線が全面に型押しして付けられ、長辺に平行で等間隔の罫線が全面に付けられたものが使用上、好ましい。
折り線の付け方としては、型押しや、手折り、機械折りなどの方法が挙げられ、罫線の付け方としては、印刷、手書きなどの方法が挙げられる。
【０００９】
本考案に用いられるクラフト用シートの材質としては、紙、プラスチックス、布、金属、セラミックスあるいはそれらの混合物が挙げられ、焼くと陶磁器や金属、セラミックスとなる陶紙や粘土でできた紙、銀粘土、セラミックスペーパーであってもよい。また、光触媒や芳香、吸湿、抗菌など、さまざまな機能を持ったシートであってもよい。
【００１０】
以下、添付図面に従って実施例を説明する。
【実施例１】
【００１１】
図１の（a）は、蛇腹状に折り畳まれた立体構造を持つペーパークラフトの、基本的な形態である。この形状を得るためには、（ｂ）に示す折り目を付ける必要がある。この折り目は、（ｃ）に示すように、クラフト用シートの短辺に平行に定規や鉛筆などを使用して折り線を記入し、次に、構想に従って二本の罫線を下書きしたのち、折り線と罫線の交点を順につないだ境界線を記入してから、折り線と境界線に、ヘラなどを使って折り目をつけていた。本考案では、作業を簡略化するために（ｄ）に示すように、事前に折り線を型押しして折り目を付け、それと直交して方眼線を構成する罫線を、等間隔で平行にシートに印刷した。これにより、（e）に示すように、最初から方眼の対角線を結ぶだけで境界線を得ることができ、折り目をつける作業が容易になった。
【実施例２】
【００１２】
図２は、実施例１（ｄ）のクラフト用シートを用いて制作した半球形のペーパークラフトの構造を示すものである。まず、クラフト用シートを長方形にカットし、（ａ）に示すような折り目を付け、展開図に従ってそれぞれ山折り、谷折りに折ると（ｂ）の湾曲した立体構造のペーパークラフトとなった。さらに、境界線が輪になるように両端辺を突き合わせ、のりしろの部分８で貼り合わせると、（ｃ）の中央が膨らんだ円筒状の立体構造になった。次いで、上部開口部をすぼめ固定すると（ｄ）の半球形の傘状となり、（ｅ）の様に電球を取り付けることによってランプシェードになった。このクラフト用シートとして光触媒が担持されたシートを用いると、光を効率良く当てることができることから、環境汚染物質を効率良く分解・除去することができる、優れた空気浄化機能を持つ照明器具を作成することができた。
【産業上の利用可能性】
【００１３】
本考案のクラフト用シートを使用することによって折り目を付ける工程が簡略化できるので、ペーパークラフトの形状に工夫を加えて作成することが容易になり、さまざまな形のペーパークラフトを簡単に作成できるだけでなく、ホビーとして普及することが考えられる。また、光触媒を担持したシートで制作した場合は、完成したクラフトは、表面積の大きさから高機能空気清浄器などとして利用することができる。
【図面の簡単な説明】
【００１４】
【図１】（a）蛇腹状に折り畳まれた立体構造を特徴とするペーパークラフトの斜視図。（ｂ）山折り線、谷折り線と境界線が記された展開図。（ｃ）折り線と折り線上の点を結んだ罫線と、折り線上の点を順につないだ境界線が記された展開図。（ｄ）型押しされた折り線と、方眼線をなすように、罫線が印刷されたクラフト用シートの展開図。（e）本考案のクラフト用シートを使って、境界線を記入した展開図。
【図２】(ａ)中央が膨らんだ構造を持つペーパークラフトの展開図。(ｂ)湾曲した立体構造を示したペーパークラフトの斜視図。(ｃ)中央が膨らんだ円筒状のペーパークラフトを示した斜視図。(ｄ)傘状のペーパークラフトを示した斜視図。(ｅ)照明器具の実施例を示した斜視図。
【符号の説明】
【００１５】
１クラフト用シート
２折り線
３罫
４境界線
５型押しされた折り線
６山折り
７谷折り
８のりしろ
９電球